(57)【要約】    【課題】清掃過程で磁性を有するゴミと磁性を有していない他のゴミとを分別することができる電気掃除機を提供する。    【解決手段】電気掃除機の吸込み口本体若しくは該吸込み口本体の接続部に接続可能の接続管又はこれら双方の少なくとも一部に、磁石が配置されていることを特徴とする磁性を有するゴミについて分別機能を有する電気掃除機にあり、電気掃除機によりゴミを吸込んで掃除する過程で、吸込まれたゴミに含まれる磁性を有するゴミを、磁性を有していない他の材料のゴミと簡単に且つ短時間に分別でき、磁性を有するゴミと磁性を有しない他の材料のゴミとの分別の労をなくすことができる。【選択図】図１
2007295974.tif 000002
【特許請求の範囲】
【請求項１】
電気掃除機の吸込み口本体若しくは該吸込み口本体の接続部に接続可能の接続管又はこれら双方の少なくとも一部に、磁石が配置されていることを特徴とする磁性を有するゴミについて分別機能を有する電気掃除機。
【請求項２】
吸込み口本体と、該吸込み口本体に取外し可能に接続する接続管とを備える電気掃除機において、吸込み口本体及び／又は該吸込み口本体に取外し可能に接続する接続管に、磁石部材が備えられており、該磁石部材により、吸込み口本体内及び／又は前記接続管内の少なくとも一部に、磁界が形成されることを特徴とする磁性を有するゴミについて分別機能を有する電気掃除機。
【請求項３】
掃除機の吸込み口本体に取外し可能に接続する接続管に装着される磁石部材は、棒状、環状又は板状の形状に形成されて、接続管の管壁部に取付けられていることを特徴とする請求項１又は２に記載の磁性を有するゴミについて分別機能を有する電気掃除機。
【請求項４】
掃除機の吸込み口本体に取外し可能に接続する接続管に装着される磁石部材は、端部に係合部を有する管状体に形成されて、接続管の管端部に前記係合部を介して接続することにより取付けられていることを特徴とする請求項１、２又は３に記載の磁性を有するゴミについて分別機能を有する電気掃除機。
【請求項５】
掃除機の吸込み口本体に装着される磁石を備える磁石部材は、吸込み口本体の外面部又は内面部に設けられていることを特徴とする請求項１又は２に記載の磁性を有するゴミについて分別機能を有する電気掃除機。
【請求項６】
掃除機の吸込み口本体に装着される磁石を備える磁石部材において、磁石は、掃除される面から１乃至５０ｍｍ離れて設けられることを特徴とする請求項１、２又は５に記載の磁性を有するゴミについて分別機能を有する電気掃除機。
【発明の詳細な説明】
【技術分野】
【０００１】
本発明は、ごみに含まれる磁性を有するごみを掃除の過程で分別できる磁性を有するごみについて分別機能を有する電気掃除機に関し、特に、家屋内の磁性を有するごみを含むごみを、ごみを収集する掃除の過程で、磁性を有するごみを他のごみと分別することができる電気掃除機に関する。また、本発明は、電気掃除機に関し、特に、工場、事務所その他家屋の内外において、例えば、床、階段や道路等において、清掃されるごみに含まれる磁性を有するごみを、他のごみと、掃除の過程で分別できる磁性を有するごみについて分別機能を有する電気掃除機に関する。
【背景技術】
【０００２】
工場、作業場、事務所又はその他家屋の内外において、ごみを掃き除いたりして、工場、作業場、事務所その他家屋の内外を清浄にするために、広く、電気掃除機が使用されている。
電気掃除機により清掃する時は、吸込み口の開口部を床に接触させて、床上のごみを開口部から吸込み、電気掃除機の集塵袋内に取り込み清掃をしている。集塵室の排気口には、フィルターが設けられており、集塵に吸引された塵埃、即ちごみは、フィルタにより濾別されて集塵袋に止まり、塵埃が除かれて清浄となった気流を電気掃除機から排出している。
【発明の開示】
【発明が解決しようとする課題】
【０００３】
特に、工場、作業場、事務所等においては、ごみにピンやクリップ等の金具が混入したり、或いは作業の種類によっては、金属の切削片が混入したりする。このような金具や金属片の混入は、ごみの種分けを面倒にし、また、吸引された金属片がフィルタに刺さったりして、フィルタを痛めて問題である。
本発明は、電気掃除機による清掃時におけるこのような切削された金属粉を含むごみの清掃に係る問題点及びこの清掃により集められたごみの分別に係る問題点を解決することを目的としている。
【課題を解決するための手段】
【０００４】
本発明者は、電気掃除機の吸込み口又はこの吸込み口に接続する接続管の一部に磁石を取付けるという、電気掃除機の吸込み口又は接続管に構造上の簡単な改良を加えることにより、清掃過程でかなりの流速でゴミが吸い込まれても、そのゴミを含む気流の流れの中から、ゴミに含まれる磁性を有する金具等のゴミを、磁石により吸引保持して、他のごみと分離でき、清掃過程での清掃と同時に清掃により吸い込まれたゴミに含まれる金属を容易に分別できることを発見した。本発明は、これらの発見に基づくものである。
本発明は、切削された金属粉を含むごみ及びその他のゴミの清掃を行うと同時に、清掃により集められたゴミの中から、磁性を有する金属を含むゴミを分別することができる電気掃除機を提供することを目的としている。
【０００５】
即ち、本発明は、電気掃除機の吸込み口本体若しくは該吸込み口本体の接続部に接続可能の接続管又はこれら双方の少なくとも一部に、磁石が配置されていることを特徴とする磁性を有するゴミについて分別機能を有する電気掃除機にあり、また、本発明は、吸込み口本体と、該吸込み口本体に取外し可能に接続する接続管とを備える電気掃除機において、吸込み口本体及び／又は該吸込み口本体に取外し可能に接続する接続管に、磁石部材が備えられており、該磁石部材により、吸込み口本体内及び／又は前記接続管内の少なくとも一部に、磁界が形成されることを特徴とする磁性を有するゴミについて分別機能を有する電気掃除機にある。
本発明の磁性を有するゴミについて分別機能を有する電気掃除機において、電気掃除機の吸込み口本体に取外し可能に接続する接続管に装着される磁石部材は、棒状、環状又は板状の形状に形成されて、接続管の管壁部に取付けられるものであり、これにより、磁性を有する塵（ゴミ）について分別機能を有する電気掃除機とすることができる。また、電気掃除機の吸込み口本体に取外し可能に接続する接続管に装着される磁石部材は、端部に係合部を有する管状体に形成されて、接続管の管端部に前記係合部を介して接続することにより取付けられるものであり、これにより、磁性を有するゴミについて分別機能を有する電気掃除機とすることができる。そしてまた、電気掃除機の吸込み口本体に装着される磁石を備える磁石部材は、吸込み口本体の外面部又は内面部に設けることができ、これにより、磁性を有するゴミについて分別機能を有する電気掃除機とすることができる。さらにまた、本発明においては、掃除機の吸込み口本体に装着される磁石を備える磁石部材において、磁石は、掃除される面から１乃至５０ｍｍ離れて設けられることができ、これにより、磁性を有するゴミについて分別機能を有する電気掃除機とすることができる。
【発明の効果】
【０００６】
本発明は、電気掃除機の吸込み口本体の少なくとも一部、若しくは塵を吸込むための電気掃除機の送風機と前記吸込み口本体の双方に接続可能の接続管の少なくとも一部、又は前記吸込み口本体の少なくとも一部及び前記接続管の少なくとも一部に、磁石が配置されているので、電気掃除機による掃除の過程で、前記吸込み口本体内及び／又は前記接続管内に吸い込まれた気流中に含まれる磁性を有する金属質等のゴミを、磁石に吸引保持させて、磁性を有する金属質のゴミを含まない気流として、集塵袋に送り、気流中に含まれる磁石に吸引されない磁性を有しないゴミを、集塵袋内に捕集して、ゴミが除かれた気流を排気口から流出することができる。したがって、本発明の電気掃除機によると、清掃過程で吸込まれたゴミは、ゴミに含まれる磁性を有する金属質のゴミを磁石に吸引保持させて分離し、磁石に吸引されない他のゴミを集塵袋内に捕集するので、清掃過程において、磁性を有する金属質のゴミと他の磁石に吸引されない他のゴミとを簡単に且つ短時間に分別することができる。
【０００７】
また、本発明において、電気掃除機の吸込み口本体内少なくとも一部、若しくは塵を吸込むための電気掃除機の送風機と前記吸込み口本体に接続可能の接続管の少なくとも一部、又は前記吸込み口本体の少なくとも一部及び前記接続管の少なくとも一部に、磁石が配置されているので、電気掃除機による掃除の過程で、磁性を有する金属質のゴミが、吸込み口本体内及び／又は接続管内に吸い込まれても、吸込み口本体及び／又は接続管に設けられている磁石により、磁性を有するゴミを吸引保持して、他の磁性を有しないゴミと簡単に且つ短時間に分別することができ、また、このような磁性を有する金属質のゴミが、濾布に到達することがなくなり、濾布の破損や損耗を避けることができる。
【発明を実施するための最良の形態】
【０００８】
本発明においては、電気掃除機にゴミに含まれる磁性材料の分別機能を持たせるために、電気掃除機の吸込み口若しくは該吸込み口に接続する接続管又はこれらの双方に、磁石を配備する。磁石には、吸込み口及び接続管内を流れる気流の速度に応じて、大きい磁束密度の磁石、例えば、１Ｔ（Ｔ：テスラ）以上の磁束密度の磁石が選ばれる。本発明において、磁石としては、特に、フェライト磁石及び／又は希土類磁石を使用することができる。使用される磁石には、例えば、希土類磁石のＮｄＦｅＢ（ネオジウム・鉄・ホウ素）を使用するＮｄＦｅＢ系フレキシブル磁石、ＮｄＦｅＢ系等方性フレキシブル磁石、ＮｄＦｅＢ系圧縮成形磁石、ＮｄＦｅＢ系射出成形磁石、フェライト系ゴム磁石、フェライト系射出成形磁石又はボンド磁石等のフレキシブル磁石があり、またこれらの他に、ゴムとバリウムフェライト粉末練り合わせ、加硫後、着磁加工したマグネットラバー、又はプラスチック磁石がある。
【０００９】
本発明において、吸込み口には、ブラシ、又は、ゴム製、スポンジ製又は布製の清掃部材を設けることができ、この清掃部材は磁性材料製とすることができる。ブラシの場合、ブラシの毛の一部を、磁石を含有する毛とすることができる。吸込み口に、ゴム製、スポンジ製又は布製の払拭部材を設ける場合には、清掃部材の一部に、磁石を含有させることができる。吸込み口において、このような磁石を払拭部材に設ける場合は、払拭部材中の磁石部の位置は、清掃時に、清掃される面に接しない程度に該面から離れた位置に、清掃される面から、例えば、１乃至５０ｍｍ、好ましくは１乃至３０ｍｍ離れた位置に設けるのが好ましい。このようにすることによって、磁石に付着した磁性を有するゴミが、清掃時に清掃される面に接して離脱したり、他のゴミの吸い込みを妨げたりすることを避けることができる。吸込み口に設けられる磁石は、取外し可能に設けると、磁石に磁着した磁性を有するゴミを取り除くことが容易となるので好ましい。本発明において、磁石は、永久磁石の他に電磁石とすることができる。
【００１０】
本発明において、磁石部材は、吸込み口本体若しくは該吸込み口本体に取外し可能に接続する接続管、又は前記吸込み口本体と接続管に設けることができる。前記吸込み口本体及び／又は接続管が、例えば、プラスチック材料で形成される場合には、磁石部材は、前記吸込み口本体の内側若しくは外側又は接続管の内側又は外側に設けることができる。本発明は、磁石部材は、棒状体、板状体、環状体又は管状体に形成することができ、何れのものも、磁石を耐食性の薄膜、例えばプラスチック薄膜で被覆して配置することができる。磁石部材の取付は、磁石部材の端部に設けた取付具を、前記吸込み口本体及び／又は接続管に設けられた取付部に取付けることにより、前記吸込み口本体及び／又は接続管に配置することができる。このような磁石部材の取付部は、前記吸込み口本体の内側若しくは外側又は接続管の内側又は外側に、磁石部材を装着するための取付具に嵌合する嵌合用の突起、若しくは取付具を嵌合する嵌合用の溝又は凹部等を設けて形成される。棒状体及び板状体に形成した磁石部材の場合は、例えば、磁石部材取付用の溝又は凹部内に、磁石部材を嵌め込んで取付けることができる。管状体又は環状体に形成した磁石部材の場合は、二本の接続管の間に、管状体又は環状体の磁石部材を、挟持又は保持させて形成することができる。吸込み口本体及び接続管に吸着した磁性を有するゴミは、吸込み口本体及び接続管から磁石部材を取除いて除去される。例えば、プラスチック薄膜等で磁石部材の磁石面を被覆する場合は、磁性を有するゴミは、プラスチック薄膜等に磁石の磁力により吸着されるので、磁石部材を取除くことにより、プラスチック薄膜等から離脱させて、除去することができる。
【００１１】
本発明において、磁石部材を、前記吸込み口本体に設ける場合は、吸込み口カバーの表面又は内面に設けることができる。磁石部材を吸込み口カバーの内面に設けた場合は、磁石部材を吸込み口カバーの内面から取外すことにより、吸込み口カバーの表面に吸引保持された磁性を有するゴミを離脱させることにより、簡単に取除くことができるので、吸込み口カバーの表面を清掃する上で好ましい。この場合、磁石部材を吸込み口カバーの先端部の内面に、簡単且つ容易に取付又は取外しが行えるように、吸込み口カバーの先端部の底部又は上面部を、例えば、開閉可能の蓋状に形成するのが好ましい。
【実施例】
【００１２】
以下、添付図面を参照して、本発明の実施の態様の例を説明するが、本発明は、以下の説明及び例示によって何等制限されるものではない。
図１は、本発明の一実施例のゴミに含まれる磁性を有するゴミの分別機能を有する電気掃除機用の吸込み口本体部の概略を示す平面図である。図２は、図１に示した実施例のゴミに含まれる磁性を有するゴミの分別機能を有する電気掃除機用の吸込み口本体部の概略の底面図である。図３は、図１及び図２に示した実施例と異なる本発明の他の一実施例のゴミに含まれる磁性を有するゴミの分別機能を有する電気掃除機用の吸込み口本体部の先端部の概略の構造を示す部分側部断面図である。図４は、図１、図２及び図３に示した実施例と異なる本発明の他の一実施例のゴミに含まれる磁性を有するゴミの分別機能を有する電気掃除機用の吸込み口本体部の先端部の概略の構造を示す部分側部断面図である。図５は、図１乃至４に示した実施例と異なる本発明の他の一実施例のゴミに含まれる磁性材料の分別機能を有する電気掃除機用の接続管の概略を示す側面図である。図６は、図５に示した実施例の磁性材料の分別機能を有する電気掃除機用の接続管の外側装着管部材の磁石部材の取付け構造の概略を示す側面図である。図１乃至図６において、共通する箇所には同一の符号が付されている。
【００１３】
例１
図１及び図２に示す実施例において、電気掃除機の吸込み口本体部１は、横長に形成されており、吸込み口カバー部２は、吸込み口本体部１の上面部を形成しており、その後方部において、上方に突き出て接続管部３に接続している。本例において、吸込み口本体部１には、従来の吸込み口と同様に、吸込み口本体部１の底面部４と掃除面（図示されていない）との接触を安定させ、清掃時における吸込み口本体部１の移動が容易となるように、その両側に移動用の前車輪５及び後車輪６が設けられ、後方中央部にはローラ７が設けられている。本例において、前車輪５及び後車輪６の間の領域には、回転ブラシ８が設けられており、磁石部材９は、ケース下側前方端部１０の巾方向全域に、固定されている。磁石部材に吸い付いた磁性を有するゴミは、清掃を終えたところで、刷毛等により取り除かれる。磁石部材９に吸い付いたゴミの取り除き作業が、頻繁となるときは、磁石部材９は、容易に取り替えられるように、ケース下側前方端部１０に、簡単に取外し可能に取付けることが出来るように、例えば、嵌着又は螺着等により取付けることができる。磁石部材９をケース下側前方端部１０のカバー内側に容易に取外し可能に取付けると、下側前方端部１０のカバー内側から、磁石部材９を取り外すことにより、磁力により下側前方端部１０のカバー外側に吸い付いた磁性を有するゴミを、容易に取り除くことができる。
本例は、以上のように構成されているので、清掃時に、吸込み口本体部１を矢印１１の方向に移動させたとき、磁性を有するゴミは磁石部材９に吸い付いて保持され、磁石部材９に吸い付かない磁性を有していないゴミのみが分離されて、接続管部３内に吸込まれる。ケース下側前方端部１０に設けられている磁石部材９に吸い付いた磁性を有するゴミは、清掃を終えたところで、刷毛等により取り除かれる。したがって、本例においては、電気掃除機による清掃過程で、磁性を有するゴミと、磁性を有しないゴミを、自動的に分別することができる。
【００１４】
図１及び図２に示す実施例においては、磁石部材９の面は、直接ゴミに触れるように露出しているが、磁石部材９の床側の面を、例えばプラスチック製の板部材又は膜部材で覆うことができる。このように磁石部材９の床側の面を板部材又は膜部材で覆うと、磁性を有するゴミは、磁石部材９の磁力により、磁石部材９を覆う、例えばプラスチック製の板部材又は膜部材に吸着するので、板部材又は膜部材から磁石部材９を取除くことにより、磁性を有するゴミは、プラスチック製等の板部材又は膜部材から、重力により自動的に離脱する。したがって、磁石部材９の床側の面を、板部材又は膜部材で覆うと、掃除の過程で磁力により吸着した磁性を有するゴミの取除き作業が簡単な且つ容易となる。
【００１５】
例２
図３に示す実施例は、電気掃除機の吸込み口本体部１の横長に形成されている吸込み口カバー部２の内側に、磁石部材取付部１２を設けた事例である。
本例において、磁石部材取付部１２は、磁石部材９の取付及び取外しが容易となるように。吸込み口カバー部２の端部を形成する端部材１３は、吸込み口カバー部２に対して、軸１４を介して回動可能に取付けられる。本例においては、このように吸込み口カバー部２に取付けられた端部材１３の内側に、例えば、枠部１５を設けて、該枠部１５内に磁石部材９を装着させて、磁石部材９を装着又は取外すことが可能にすることができる。この場合、磁石部材９の位置決めが容易となるように、磁石部材９を、枠部１５内に固定する前に移動可能であるように、枠部材１５を形成するのが好ましい。本例においては、吸込み口カバー部２の一部端部材１３は、吸込み口カバー部２の軸受け部（図示されていない）に軸支されている軸部材１４に、腕部１６を介して固定されており、軸部材１４を中心に、双方矢印１７の方向に上方及び下方に回動可能に取付けることができる。したがって、端部材１３を下方に回転して、吸込み口カバー部２の端部材１３の部分を開き、磁石部材９を、枠１５から取り外して、吸込み口カバー部２の端部１８に付着する、磁性を有するゴミを取除くことができる。磁石部材９を、枠部材１５に取付けて、端部材１３を上方に回転して、吸込み口カバー部２の端部材１３の部分を閉じて、磁石部材９を、吸込み口カバー部２内に装着することができる。本例においては、磁石部材は、吸込み口カバー部２内に設けられている枠部材１５に装着しているが、磁石部材９を低磁化率材料製の容器内に取出し可能に入れて、該容器の両端部に、腕部等の係合部を取付けて、端部材１３に形成する係合部支持部（図示されていない）に、腕部等の係合部を保持して、磁石部材９を、吸込み口カバー部２の端部１８内に取外し可能に取付けることができる。
【００１６】
例３
図４に示す実施例は、電気掃除機の吸込み口本体部１の横長に形成されている吸込み口カバー部２の内側に、磁石部材取付部１２を設ける事例であるが、図３に示す実施例と異なり、吸込み口カバー部２の先端部に開閉蓋部１９を設けた事例である。
本例において、磁石部材取付部１２は、磁石部材９の取付及び取外しが容易となるように、吸込み口カバー部２の下端部を形成する端部材１３の立上がる側の端部に、吸込み口カバー部２に対して、開閉蓋部１９が、軸２０を介して回動可能に取付けられている。本例においては、このように吸込み口カバー部２に取付けられた端部材１３の内側に、例えば、枠部１５を設けて、該枠部１５内に磁石部材９を移動可能に装着させて、磁石部材９を装着又は取外すことが可能にすることができる。本例においては、吸込み口カバー部２の開閉蓋部材１９は、吸込み口カバー部２の軸受け部（図示されていない）に回動可能に軸支されている軸部材２０に腕部２１を介して固定されており、軸部材２０を中心に、双方矢印２２の方向に前方及び後方に回動可能であり、前方に回転させて、開閉蓋部材１９を開き、磁石部材９を、枠部材１５から取り外すことができる。掃除を終えたところで、蓋部材１９を開いて枠部材１５から磁石部材９を取外すことにより、吸込み口カバー部２の端部１８の下面に磁力により吸着する磁性を有するゴミを離脱させ、容易に取除くことができる。掃除をするときには、掃除に先だって、開閉蓋部材１９を開いて磁石部材９を枠部材１５に取付ける。本例においては、磁石部材９は、枠部材１５に装着しているが、磁石部材９の容器の両端部に、腕部等の係合部を取付けて、端部材１３に形成する係合部支持部（図示されていない）によって、前記容器の腕部等の係合部を保持して、磁石部材９を、吸込み口カバー部２の端部１８に取外し可能に取付けることができる。
【００１７】
例４
図５に示す実施例は、電気掃除機の吸込み口本体部１に接続する接続管部３の延長管部２３に、磁石部材取付用の内側管部材２４を設けた事例である。
図５に示す実施例においては、接続管部３の延長管部２３に、磁石部材９が取付けられている。本例において、延長管部２３は、内側管部材２４と外側管部材２５で形成されており、磁石部材９は、円筒状に形成されている。円筒状の磁石部材９は内側管部材２４と外側管部材２５の間に挟着されている。延長管部２３の外側管部材２５の一方の接続部２６は、挿入口であってテーパー形状に形成されており、送風機（図示されていない）側の接続管部２７の接続部２８は、差込口であってテーパー形状に形成されている。外側管部２５の一方の接続部２６の挿入口に容易に挿着することができる。
本例は、以上のように構成されているので、掃除をする時は、送風機側の接続管部２７の接続部２８を延長管部２３の外側管部材２５の接続部２６に挿着して使用される。掃除の時に、接続管部３内に吸込まれて該管内を流れる塵の中の磁性を有する塵は、円筒状の磁石部材９の磁力により延長管部２３の管壁に吸い付け保持させて、磁性を有していない塵と分離される。したがって、本例においても、磁性を有する塵と磁性を有していない塵とは、掃除の過程で分別することができる。
【００１８】
例５
図６に示す実施例は、図５に示した実施例の続管部の内側管部材と異なる構造の内側管部材の事例である。
図６に示す実施例において、図５と同様に、延長管部２３は、内側管部材２４と外側管部材２５とで形成されている。本例において、内側管部材２４は、掃除により磁性を有するゴミの分別が必要なときに、外側管部材２５内に装着して使用されるものである。
本例は、以上のように構成されているので、電気掃除機により掃除をする時は、磁石部材９が設けられた内側管部材２４を、接続管部３の延長管部２３の外側管部材２５内に装着し、内側管部材２４が装着された、延長管部２３の外側管部材２５の接続部２６内に、送風機側の接続管部２７の接続部２８を挿し込み取り付けて使用される。電気掃除機による掃除は、通常の電気掃除機と同様に、送風機（図示されていない）を作動させて、ゴミを、電気掃除機の吸込み口本体部１から接続管部３を経由して電気掃除機内に吸込んで行われる。接続管部３内に吸込まれて該管内を流れるゴミの中の磁性を有するゴミを、延長管部２３の円筒状の内側管部材２４に取付けられている磁石部材９の磁力により、該内側管部材２４の内壁面に吸い付け保持させて、磁性を有していないゴミと分離することができる。本例において、磁石９の磁力により分離された磁性を有するゴミは、延長管部２３の内側管部材２４の内壁面に磁力により吸着した侭となっているので、掃除を終えたところで、延長管部２３の外側管部材２５を、接続管部２７から外して、内側管部材２４の内壁面に磁力により吸着している磁性を有するゴミを、ブラシ等により取除き、内側管部材２４の内壁面を清浄にして、再使用可能にする。本例においても、磁性を有するゴミと磁性を有していないゴミとは、電気掃除機による掃除の過程で掃除をすると同時に分別することができる。
【００１９】
図６に示す実施例においては、内側管部材２４が図５に示す実施例と異なる構造に形成されている。即ち、本例においては、内側管部材２４の外面２９には、平面形状が長方形の複数の凹部３０が形成されており、該凹部３０内には、磁石部材９が接着剤を介して固定されている。内側管部材２４の外面２９の端部には、位置決め用の突起３１が形成されており、磁石部材９が設けられた内側管部材２４を、外側管部材２５内に装着するときに、位置決め用の突起３１が外側管部材２５の端面に接して、内側管部材２４の外側管部材２５に対して位置決めすることができる。
本例は、以上のように構成されているので、図５に示した実施例と同様に、磁石部材９が設けられた内側管部材２４を、外側管部材２５内に装着し、内側管部材２４が装着した外側管部材２５の接続部２６内に、送風機側の接続管部２７の接続部２８を挿し込み取り付けて掃除に使用される。電気掃除機による掃除の時に、接続管部３内に吸込まれて該管内を流れるゴミの中の磁性を有するゴミは、円筒状の磁石部材９の磁力により、延長管部２３の内側管部材２４の管壁内面に吸着されて、磁性を有していないゴミと分離することができ。したがって、本例においても、掃除を終えたところで、延長管部２３の外側管部材２５を、接続管部２７から外して、内側管部材２４の内壁面に磁力により吸着している磁性を有するゴミを、ブラシ等により取除き、内側管部材２４の内壁面を清浄にして、再使用可能にする。本例においても、磁性を有するゴミと磁性を有していないゴミとは、電気掃除機による掃除の過程で掃除をすると同時に分別することができる。
【００２０】
本例においては、内側管部材２４の外面２９の凹部３０内に、磁石部材９を接着剤を介して固定させているが、例えば、凹部３０の縁部３２に爪等（図示されていない）を設けて、磁石部材９を、外面２９の凹部３０内に取外し可能に配置することができる。このようにすることにより、本例においては、掃除を終えたところで、延長管部２３の外側管部材２５を、接続管部２７から外して、内側管部材２４に配置されている磁石部材９を凹部から取り除くことにより、内壁面に吸着している磁性を有するゴミを簡単に取除くことができ、内側管部材２４の内壁面を清浄にして、再使用可能にすることができる。このように、本例においても、磁性を有するゴミと磁性を有していないゴミとは、電気掃除機による掃除の過程で掃除をすると同時に分別することができる。
【００２１】
前記図５及び図６に示す実施例は、何れも、磁石部材９を、外側管部材２５の内側に装着しているが、磁石部材９を外側管部材２５の外側に配置することができる。この場合は、例えば、図５において内側管部材２４として示される管部材の内径を、外側管部材２５の外径より大きく形成して、外側管部材２５の外側に嵌め込み可能の外側管部材とすることができる。このようにすると、電気掃除機による掃除の時に、接続管部３内に吸込まれて該管内を流れるゴミの中の磁性を有するゴミは、円筒状の磁石部材９の磁力により、延長管部２３の外側管部材２５の管壁内面に吸着されて保持されるので、磁性を有していないゴミと分離することができる。したがって、本例においては、掃除を終えたところで、延長管部２３の外側管部材２５を、接続管部２７から外して、外側管部材２５の外側に嵌め込まれている管部材を外して、磁石部材を取り外すことにより、外側管部材の内壁面に磁力により吸着している磁性を有するゴミを、該内壁面から離脱させて、簡単に取除くことができ、内側管部材２４の内壁面を清浄にして、再使用可能にすることができる。したがって、外側管部材２５の外側に磁石部材９を配置しても、磁性を有するゴミと、磁性を有していないゴミとを、電気掃除機による掃除の過程で掃除と同時に分別することができる。外側管部材２５の外側に、磁石部材を備える管部材を装着するときは、外側管部材の２５の内面が、接続管部２７の内面に対し、段差を生じないように形成するのが好ましい。
【産業上の利用可能性】
【００２２】
本発明は、電気掃除機の吸込み口本体若しくは該吸込み口本体の接続部に接続可能の接続管又はこれら双方の少なくとも一部に、磁石を配置して、該吸込み口本体及び／又は接続管にゴミに含まれる磁性を有するゴミと磁性を有しないゴミとの分別機能を持たせたので、電気掃除機による掃除の過程で、磁性を有する金属質のゴミと、磁性を有しない有機質その他のゴミとを簡単に且つ短時間に分別することができることとなり、分別の労をなくすことができる。したがって、本発明は、ゴミの分別における一つの役割を担う電気掃除機を提供するものであり、産業上に資するところが大きい。
【図面の簡単な説明】
【００２３】
【図１】本発明の一実施例のゴミに含まれる磁性を有するゴミと磁性を有しないゴミとの分別機能を有する電気掃除機用の吸込み口本体部の概略を示す平面図である。
【図２】図１に示した実施例のゴミに含まれる磁性を有するゴミと磁性を有しないゴミとの分別機能を有する電気掃除機用の吸込み口本体部の概略の底面図である。
【図３】図１及び図２に示した実施例と異なる本発明の他の一実施例におけるゴミに含まれる磁性を有するゴミと磁性を有しないゴミとの分別機能を有する電気掃除機用の吸込み口本体部の先端部の概略の構造を示す部分側部断面図である。
【図４】図１、図２及び図３に示した実施例と異なる本発明の他の一実施例におけるゴミに含まれる磁性を有するゴミと磁性を有しないゴミとの分別機能を有する電気掃除機用の吸込み口本体部の先端部の概略の構造を示す部分側部断面図である。
【図５】図１乃至４に示した実施例と異なる本発明の他の一実施例のゴミに含まれる磁性を有するゴミと磁性を有しないゴミとの分別機能を有する電気掃除機用の接続管の概略を示す側面図である。
【図６】図５に示した実施例の磁性材料の分別機能を有する電気掃除機用の接続管の外側装着管部材における磁石部材の取付け構造の概略を示す側面図である。
【符号の説明】
【００２４】
１  吸込み口本体部
２  吸込み口カバー部
３  接続管部
４  吸込み口の底面部
５  前車輪
６  後車輪
７  ローラ
８  回転ブラシ
９  磁石部材
１０  ケース下側前方端部
１１  矢印
１２  磁石部材取付部
１３  端部材
１４  軸
１５  枠部
１６  腕部
１７  双方矢印
１８  吸込み口カバー部２の端部
１９  蓋部材
２０  軸
２１  腕部
２２  双方矢印
２３  延長管部
２４  内側管部材
２５  外側管部材
２６  外側管部材２５の接続部
２７  送風機側の接続管部
２８  送風機側の接続管部２７の接続部
２９  内側管部材２４の外面
３０  凹部
３１  位置決め用突起
３２  凹部３０の縁部
【図１】
2007295974.tif 000003
【図２】
2007295974.tif 000004
【図３】
2007295974.tif 000005
【図４】
2007295974.tif 000006
【図５】
2007295974.tif 000007
【図６】
2007295974.tif 000008